(57)【要約】      （修正有）【課題】エンクロージャーの壁面と気流との摩擦により風切り音を発生させることのないバスレフポートを備えたスピーカーシステムを提供する。【解決手段】スピーカーユニットＳＰと、バスレフポート２０が設置された位相反転型エンクロージャー１０と、を備え、バスレフポート２０は、位相反転型エンクロージャー１０の前面板１２の内面に設置され、一方の開口２０ｂの側からバスレフポート２０の内側に向かう第１の軸方向に沿って、第１の軸方向に垂直な方向の断面の面積が徐々に小さくなる管状体を有する。管状体は、断面に平行な第２の軸方向における断面の長さが第１の軸方向に沿って一定であり、一方の開口２０ｂの側には、開口２０ｂにおける気流の流速に応じた形状の第１整流板３０が設けられている。【選択図】図１
2018037841.tif 000002
【特許請求の範囲】
【請求項１】
スピーカーユニットと、
バスレフポートが設置された位相反転型エンクロージャーと、を備え、
前記バスレフポートは、前記位相反転型エンクロージャーの前面板に設置され、一方の開口の側から該バスレフポートの内側に向かう第１の軸方向に沿って、該第１の軸方向に垂直な方向の断面の面積が徐々に小さくなる管状体を有し、
前記管状体は、前記断面に平行な第２の軸方向における前記断面の長さが前記第１の軸方向に沿って一定であり、
前記一方の開口の側には、当該開口における気流の流速に応じた形状の第１整流板が設けられている、
ことを特徴とするスピーカーシステム。
【請求項２】
前記一方の開口における気流の流速が最も速い領域に対向する位置には、前記第１整流板と前記前面板との間に形成された間隙を覆う第２整流板が前記一方の開口から所定間隔を有して設けられている、
ことを特徴とする請求項１に記載のスピーカーシステム。
【請求項３】
前記バスレフポートは、前記管状体から前記一方の開口に向けて、指数関数値に準じて、または所定の曲率半径を有して前記第１の軸方向に垂直な方向の幅が徐々に広がる形状の空気整流部を有しており、
前記第１整流板の一辺の形状は、前記空気整流部の前記形状に対応して、前記指数関数値に準じた、または前記所定の曲率半径を有する円弧形状である、
ことを特徴とする請求項１または請求項２に記載のスピーカーシステム。
【請求項４】
前記第２整流板における前記間隙との境界となる両側の縁辺部には、前記第１整流板に水平な方向の断面が円弧形状の整流部材が設けられている、
ことを特徴とする請求項２に記載のスピーカーシステム。
【請求項５】
前記バスレスポートは、前記前面板の内壁面に設置されている、
ことを特徴とする請求項１乃至請求項４のいずれか１項に記載のスピーカーシステム。
【請求項６】
前記バスレスポートは、前記前面板の外壁面に設置されている、
ことを特徴とする請求項１乃至請求項４のいずれか１項に記載のスピーカーシステム。
【発明の詳細な説明】
【技術分野】
【０００１】
本発明は、スピーカーシステムに関する。
【背景技術】
【０００２】
従来、低音増強を行うスピーカーシステムとして、位相反転型エンクロージャーを用いたものがある。位相反転型エンクロージャーは、キャビネットの前面板となるバッフル板に設置されたスピーカーユニットとバスレフポートとを備える。バスレフポートは、前記前面板に形成された開口部と、エンクロージャー内部に設置され当該開口部に接続する管状部とを有する。
【０００３】
バスレフポートには、上板と下板とを平行に配置し、上板に垂直な方向の断面の面積が、バスレフポートの一方の開口から該バスレフポートの内部に向かう軸方向に沿って、徐々に小さくなる管状体からなるものが提案されている（例えば、特許文献１）。
【０００４】
特許文献１の構造では、前記開口における前記方向の断面の面積が、前記内部における前記方向の断面の面積と比較して大きい。したがって、前記開口から吸気を行う際には、管状体に引き込まれる気流の流速は遅くなり、前記開口の端部での乱流が抑制される。同様に、前記開口から排気を行う際には、前記開口に近づく程気流の流速は遅くなり、前記開口の端部での乱流が抑制される。さらに、管状体を形成する前記上板と前記下板の間隔が一定であり、前記上板と前記下板の内壁面は滑らかに連続しているため、管状体の内部において気流の流速が速くなっても乱流が発生しない。
【先行技術文献】
【特許文献】
【０００５】
【特許文献１】特許第５１１００１２号公報
【発明の概要】
【発明が解決しようとする課題】
【０００６】
しかしながら、特許文献１のバスレフポートにおいても、管状体の中心軸に沿った中央部分においては、気流は前記開口の端部側に広がることなく、直進して前記開口から排出されるため、流速が低下しない。その結果、バスレフポートが設けられたエンクロージャーの内壁面と気流との摩擦により風切り音が発生することがあった。
【０００７】
本発明は、上述した事情に鑑みてなされたもので、その目的は、エンクロージャーの壁面と気流との摩擦により風切り音を発生させることのないバスレフポートを備えたスピーカーシステムを提供することにある。
【課題を解決するための手段】
【０００８】
前記目的を達成するために本発明の一態様に係るスピーカーシステムは、スピーカーユニットと、バスレフポートが設置された位相反転型エンクロージャーと、を備え、前記バスレフポートは、前記位相反転型エンクロージャーの前面板に設置され、一方の開口の側から該バスレフポートの内側に向かう第１の軸方向に沿って、該第１の軸方向に垂直な方向の断面の面積が徐々に小さくなる管状体を有し、前記管状体は、前記断面に平行な第２の軸方向における前記断面の長さが前記第１の軸方向に沿って一定であり、前記一方の開口の側には、当該開口における気流の流速に応じた形状の第１整流板が設けられている、ことを特徴とする。
【０００９】
本発明の一態様によれば、管状体から排気される気流は、管状体の中心軸に沿った中央部分においてはストレートに排気され、速度が速くなる。同様に、管状体に吸気される気流は、管状体の中心軸に沿った中央部分においてはストレートに吸気され、速度が速くなる。しかし、前記一方の開口の側には、当該開口における気流の流速に応じた形状の第１整流板が設けられている。したがって、管状体から排気される気流、または管状体に吸気される気流は、第１整流板によって速度が低減し、位相反転型エンクロージャーの壁面との摩擦による風切り音の発生を抑える。
【００１０】
前記本発明の一態様において、前記一方の開口における気流の流速が最も速い領域に対向する位置には、前記第１整流板と前記前面板との間に形成された間隙を覆う第２整流板が前記一方の開口から所定間隔を有して設けられていてもよい。この態様によれば、管状体から排気される気流は、管状体の中心軸に沿った中央部分においてはストレートに排気され、速度が速くなる。また、管状体に吸気される気流は、管状体の中心軸に沿った中央部分においてはストレートに吸気され、速度が速くなる。しかし、以上のような気流の流速が最も速い領域に対向する位置には、第２整流板が設けられている。したがって、流速が最も速い気流は、第２整流板によって進行が偏向され、流速が最も速い気流と位相反転型エンクロージャーの壁面と気流との摩擦による風切り音の発生が抑えられる。
【００１１】
前記本発明の一態様において、前記バスレフポートは、前記管状体から前記一方の開口に向けて、指数関数値に準じて、または所定の曲率半径を有して前記第１の軸方向に垂直な方向の幅が徐々に広がる形状の空気整流部を有しており、前記第１整流板の一辺の形状は、前記空気整流部の前記形状に対応して、前記指数関数値に準じた、または前記所定の曲率半径を有する円弧形状であってもよい。この態様によれば、前記第１整流板の一辺の形状は、前記空気整流部の前記形状に対応して、前記指数関数値に準じた、または前記所定の曲率半径を有する円弧形状なので、管状体から排気される、あるいは管状体に吸気される気流の流速を均一化する。その結果、気流の流速が最も速い領域においても当該流速が低下することになり、位相反転型エンクロージャーの壁面と気流との摩擦による風切り音の発生が抑えられる。
【００１２】
前記本発明の一態様において、前記第２整流板における前記間隙との境界となる両側の縁辺部には、前記第１整流板に水平な方向の断面が円弧形状の整流部材が設けられていてもよい。この態様によれば、整流部材により前記縁辺部における角部分がなくなるので、気流が角部分に衝突することによる乱流が発生しない。その結果、乱流に起因する風切り音の発生が抑えられる。
【００１３】
前記本発明の一態様において、前記バスレスポートは、前記前面板の内壁面に設置されていてもよい。この態様によれば、前記バスレスポートの開口から排気される気流と、あるいは前記バスレスポートの開口に吸気される気流と、前記前面板の内壁面との摩擦による風切り音の発生が抑えられる。
【００１４】
前記本発明の一態様において、前記バスレスポートは、前記前面板の外壁面に設置されていてもよい。この態様によれば、前記バスレスポートの開口から排気される気流と、あるいは前記バスレスポートの開口に吸気される気流と、前記前面板の外壁面との摩擦による風切り音の発生が抑えられる。
【図面の簡単な説明】
【００１５】
【図１】（Ａ）は本発明の第１実施形態におけるスピーカーシステムの平面図であり、（Ｂ）は第１実施形態におけるスピーカーシステムの側面図である。
【図２】バスレフポートを示す平面図である。
【図３】バスレフポートを示す斜視図である。
【図４】（Ａ）は第１整流板を示す平面図、（Ｂ）は支持板を示す平面図、（Ｃ）は第２整流板および整流部材を示す平面図、（Ｄ）は第１整流板、第２整流板、および整流部材を組み立てた状態を示す平面図、（Ｅ）は第１整流板、第２整流板、および整流部材を組み立てた状態を示す側面図である。
【図５】第１整流板の形状と、バスレフポートの開口から排気される気流の流速との関係を説明する図である。
【図６】第１整流板、第２整流板、および整流部材を組み立てた状態を示す斜視図である。
【図７】第１整流板、第２整流板、および整流部材を組み立て、バスレフポートに取り付けた状態を示す斜視図である。
【図８】バスレフポートの開口から吸気された気流がバスレフポートの中空部を通り、バスレフポートの開口から排気される場合の気流の動きを説明する図である。
【図９】バスレフポートの開口から吸気された気流がバスレフポートの中空部を通り、バスレフポートの開口から排気される場合の気流の動きを説明する図である。
【図１０】（Ａ）および（Ｂ）は第１実施形態のスピーカーシステムにおける気流の方向と流速を説明するための図である。
【図１１】（Ａ）および（Ｂ）は比較例のスピーカーシステムにおける気流の方向と流速を説明するための図である。
【図１２】（Ａ）は第２実施形態におけるスピーカーシステムの平面図であり、（Ｂ）は第２実施形態におけるスピーカーシステムの側面図である。
【図１３】変形例における第１整流板が一体に成型されたバスレフポートの上面板を示す平面図である。
【発明を実施するための形態】
【００１６】
以下、本発明の実施形態について図面を参照して説明する。
＜第１実施形態＞
【００１７】
本発明の第１実施形態に係るスピーカーシステムについて図を参照して説明する。図１（Ａ）は本実施形態のスピーカーシステム１の平面図である。図１（Ｂ）は本実施形態のスピーカーシステム１の側面図である。
【００１８】
図１（Ａ）および図１（Ｂ）に示すように、スピーカーシステム１は、位相反転型エンクロージャー１０と、スピーカーユニットＳＰと、バスレフポート２０と、第１整流板３０と、支持板４０と、第２整流板５０と、整流部材６０，６１とを備えている。
エンクロージャー１０は、前面板１２と、背面板１３と、天面板１４と、底面板１５と、一対の側面板１６Ａ，１６Ｂとにより形成される。前面板１２と背面板１３、天面板１４と底面板１５、および一対の側面板１６Ａ，１６Ｂは、互いに主面が平行になるように取り付けられている。本実施形態のエンクロージャー１０は、天面板１４と底面板１５との間隔が他の板面同士の間隔より長い直方体形状を有している。本実施形態では、天面板１４と底面板１５とを結ぶ方向を長手方向（図１（Ａ），（Ｂ）においてＸ方向）とし、側面板１６Ａ，１６Ｂを結ぶ方向を短手方向（図１（Ａ）においてＹ方向）とする。また、前面板１２と背面板１３を結ぶ方向を奥行き方向（図１（Ｂ）においてＺ方向）と称する。
【００１９】
前面板１２は、スピーカーユニットＳＰが設置されるとともに、バスレフポート用開口部１７が形成されており、バッフル板として機能する。本実施形態では、一例として、スピーカーユニットＳＰは、前面板１２の天面板１４付近に設置されており、バスレフポート用開口部１７は、前面板１２の底面板１５付近に形成されている。
【００２０】
バスレフポート２０は、エンクロージャー１０の内部に設置され、エンクロージャー１０の内部と外部とを連通させる管状体である。本実施形態においては、バスレフポート２０は、前面板１２の内壁面に取り付けられている。バスレフポート２０は、スピーカーユニットＳＰからエンクロージャー１０の背面側に放射された音響のうち低音域の音響成分を共鳴（ヘルムホルツ共鳴）により増強して放射する。すなわち、エンクロージャー１０およびバスレフポート２０は、スピーカーユニットＳＰからエンクロージャー１０の前面側に放射される音響の下限周波数の近傍の周波数を共鳴周波数とするヘルムホルツ共振器を構成する。
【００２１】
バスレフポート２０は、図１（Ｂ）に示すように、奥行き方向（Ｚ方向）の長さが、スピーカーユニットＳＰ側の開口２０ｂからバスレフポート用開口部１７側の開口２０ａに至るまで、長手方向（Ｘ方向）に沿って一定になっている。しかし、バスレフポート２０は、図１（Ａ）に示すように、短手方向（Ｙ方向）の長さが、開口２０ｂからバスレフポート２０の中央部に向かって、長手方向（Ｘ方向）に沿って徐々に短くなる形状を有している。また、バスレフポート２０は、図１（Ａ）に示すように、短手方向（Ｙ方向）の長さが、バスレフポート２０の中央部から開口２０ａに向かって、長手方向（Ｘ方向）に沿って徐々に長くなる形状を有している。
【００２２】
バスレフポート２０のバスレフポート用開口部１７側の開口２０ａは、接続用空間部１８を介してバスレフポート用開口部１７に接続する。バスレフポート２０のスピーカーユニットＳＰ側の開口２０ｂの近くには、第１整流板３０が設けられている。
【００２３】
第１整流板３０は、図１（Ａ）に示すように、平面視において一辺が直線で、他辺が所定の曲率半径を有する円弧状または指数関数値に準じた曲線形状を有する。第１整流板３０は、直線の一辺を有する端部が、エンクロージャー１０の背面板１３の側におけるバスレフポート２０の表面に重なるように取り付けられる。第１整流板３０に対して奥行き方向（Ｚ方向）において対向する位置には、矩形の支持板４０が設けられている。第１整流板３０と支持板４０との間には、第２整流板５０が開口２０ｂから長手方向（Ｘ方向）に所定間隔を有して設けられる。第２整流板５０の両側の縁辺部には、円柱形状の一部が切り欠かれた整流部材６０，６１が設けられる。
【００２４】
次に、図２および図３を参照して本実施形態のバスレフポート２０について詳しく説明する。図２はバスレフポート２０を示す平面図であり、図３はバスレフポート２０を示す斜視図である。
図２および図３に示すように、バスレフポート２０は、上面板２０ｃと、下面板２０ｄと、一対の側面板２０ｅ，２０ｆとを備えている。バスレフポート２０は、一方の開口２０ａから他方の開口２０ｂまで連続する中空部が形成された管状体であり、主管部１００と、該主管部１００の長手方向（Ｘ方向）の両端に接続された空気整流部１０１，１０２とを備えている。
【００２５】
図３に示すように、主管部１００、および空気整流部１０１，１０２の中空部は、長手方向（Ｘ方向）における中心軸Ａ１に垂直な方向の断面の形状が、いずれも矩形となっている。主管部１００は、中心軸Ａ１に垂直な方向の中空部の断面積が、中心軸Ａ１の方向に沿って一定である直方体形状を有している。主管部１００の長手方向の長さおよび中空部の断面の大きさは、エンクロージャー１０として増強したい低音の周波数に基づいて設定される値を有している。
【００２６】
また、空気整流部１０１は、中心軸Ａ１に垂直な方向の中空部の断面積が、開口２０ａの側から、バスレフポート２０の内側に位置する主管部１００に向かう第１の軸方向である中心軸Ａ１の方向に沿って、徐々に小さくなる形状を有している。また、空気整流部１０２は、中心軸Ａ１に垂直な方向の中空部の断面積が、開口２０ｂの側から、バスレフポート２０の内側に位置する主管部１００に向かう第１の軸方向である中心軸Ａ１の方向に沿って、徐々に小さくなる形状を有している。空気整流部１０１，１０２のこのような形状を実現するために、一対の側面板２０ｅ，２０ｆは、図２に示すように、平面視において所定の曲率半径を有する円弧状または指数関数値に準じた曲線を有するように形成されている。
【００２７】
バスレフポート２０は、図３に示すように、上面板２０ｃに垂直で、前記中空部の断面に平行な第２の軸方向における前記断面の長さｈが、第１の軸方向である中心軸Ａ１に沿って一定となっている。つまり、本実施形態においては、上面板２０ｃの内壁面と下面板２０ｄの内壁面との間隔が一定となっている。
【００２８】
このような構造とすることで、開口２０ｂから中空部に取り込まれた気流は、空気整流部１０２、主管部１００、および空気整流部１０１を通って開口２０ａから排気される時、間隔が一定の上面板２０ｃの内壁面および下面板２０ｄの内壁面から圧力を受け続ける。したがって、上面板２０ｃの内壁面の方向および下面板２０ｄの内壁面の方向への気流の拡散が抑圧され、気流は、互いの間隔が中央部から開口２０ｂに向かって徐々に広がる一対の側面板２０ｅ，２０ｆの内壁面方向に拡散される。中心軸Ａ１に垂直な方向における中空部の断面積は、主管部１００から、開口２０ｂに向かって徐々に大きくなる。その結果、一対の側面板２０ｅ，２０ｆの内壁面方向に拡散される気流の流速は、開口２０ｂに向かって徐々に低下する。前記拡散によって、開口２０ｂから排気される空気の圧力が減少すると共に、開口２０ｂにおける乱流が殆ど発生しない。したがって、乱流の発生に基づく雑音の発生を抑えることができる。このように雑音の発生が抑えられる効果は、開口２０ａから中空部に取り込まれた気流が、空気整流部１０１、主管部１００、および空気整流部１０２を通って開口２０ｂから排気される際も同様に発揮される。
【００２９】
しかしながら、上述のように一対の側面板２０ｅ，２０ｆの内壁面方向に拡散されずに、中心軸Ａ１に沿って中空部の中央部分を流れる気流については、流速が低下することなく、開口２０ａまたは開口２０ｂから排気される。同様に、中心軸Ａ１に沿って中空部の中央部分を流れる気流については、流速が低下することなく、開口２０ａまたは開口２０ｂに吸気される。その結果、スピーカーユニットＳＰ側の開口２０ｂから流速が低下することなく排気された気流と、エンクロージャー１０の前面板１２の内壁面との摩擦により、風切り音が発生する場合があった。このような現象は、開口２０ｂから吸気される場合も同様であった。
そこで、本実施形態においては、開口２０ｂを上面板２０ｃ側から覆うように庇状の第１整流板３０を設ける。また、第１整流板３０と前面板１２の内壁面との間に形成された間隙を覆う第２整流板５０を、開口２０ｂから長手方向（Ｘ方向）に所定間隔を有して設けて。また、第２整流板５０の縁辺部には、円柱形状の整流部材６０，６１を設けている。
【００３０】
次に、図４から図７を参照して、第１整流板３０、第２整流板５０、および整流部材６０，６１について説明する。図４（Ａ）は第１整流板３０を示す平面図である。図４（Ｂ）は支持板４０を示す平面図である。図４（Ｃ）は第２整流板５０および整流部材６０，６１を示す平面図である。図４（Ｄ）は第１整流板３０、第２整流板５０、および整流部材６０，６１を組み立てた状態を示す平面図である。図４（Ｅ）は第１整流板３０、第２整流板５０、および整流部材６０，６１を組み立てた状態を示す側面図である。図５は、第１整流板３０の形状と、開口２０ｂから排気される気流の流速との関係を説明する図である。図６は、第１整流板３０、第２整流板５０、および整流部材６０，６１を組み立てた状態を示す斜視図である。図７は、第１整流板３０、第２整流板５０、および整流部材６０，６１を組み立て、バスレフポート２０に取り付けた状態を示す斜視図である。
【００３１】
図４（Ａ）および図６に示すように、第１整流板３０は、平面視において一辺３０ａが直線で、他辺３０ｂが所定の曲率半径を有する円弧状または指数関数値に準じた曲線形状を有する。第１整流板３０は、第１整流板３０上を流れる気流の流速に応じた形状となっている。図５に示すように、バスレフポート２０の開口２０ｂから排気される気流の流速は、中心軸Ａ１に沿った中央部分が最も速く、一対の側面板２０ｅ，２０ｆの内壁面に近くなる程遅くなる。図５における矢印の方向は、気流の排気方向を示しており、矢印の長さは排気される気流の流速を示している。
【００３２】
本実施形態においては、図５に示すように、流速が遅い箇所に対応する箇所ほど、第１整流板３０と気流との接触する距離が短く、流速が速い箇所に対応する箇所ほど、第１整流板３０と気流との接触する距離が長くなるように第１整流板３０を形成する。第１整流板３０は、このような形状を実現するために、他辺３０ｂが所定の曲率半径を有する円弧状または指数関数値に準じた曲線形状となっている。
【００３３】
第１整流板３０が以上のような形状を有する結果、開口２０ｂからの気流の流速は、第１整流板３０と接触することにより均一化される。開口２０ｂに吸気される気流の流速も、第１整流板３０と接触することにより中央部分と周辺部分で流速が変わる。つまり、一対の側面板２０ｅ，２０ｆの内壁面方向に拡散されずに、中心軸Ａ１に沿って中空部の中央部分を流れる気流についても、第１整流板３０と接触することにより、流速が低下することとなる。
【００３４】
図４（Ｂ）および図６に示すように、支持板４０は平面視において矩形の形状となっている。本実施形態においては、支持板４０は、第２整流板５０を第１整流板３０に対して取り付けるために用いているが、例えば、第１整流板３０と第２整流板５０とを樹脂等により一体成型する場合には、支持板４０を省略することも可能である。
【００３５】
図４（Ｃ）、図４（Ｄ）、図６、および図７に示すように、第２整流板５０は、奥行き方向（Ｚ方向）に沿った平面視において、曲線形状を有する板状体である。また、第２整流板５０は、図４（Ｅ）に示すように、長手方向（Ｘ方向）に沿った側面視において矩形の板状体である。図４（Ｄ）、図６、および図７に示すように、第２整流板５０は、開口２０ｂにおける気流の流速が最も速い領域に対向する位置であって、第１整流板３０と支持板４０との間に形成された間隙を覆う位置に、開口２０ｂから中心軸Ａ１の方向に所定間隔を有して設けられている。第１整流板３０と第２整流板５０とを一体に成型して支持板４０を省略する場合には、第２整流板５０は、第１整流板３０と前面板１２の内壁面との間に形成された間隙を覆う位置に、開口２０ｂから中心軸Ａ１の方向に所定間隔を有して設けられる。
【００３６】
第２整流板５０は、図４（Ｃ）に示す平面視において、円弧状または指数関数値に準じた曲線形状を有している。図４（Ｄ）に示すように、第２整流板５０を第１整流板３０に取り付ける場合には、第２整流板５０は、第１整流板３０と逆の方向に凸状となるように取り付けられる。開口２０ｂにおける流速が最も速い領域からの気流は、第１整流板３０との接触によって速度が均一化され、さらに、第２整流板５０によってスピーカーユニットＳＰ側への進行が偏向される。また、開口２０ｂに吸気される際には、気流は第２整流板５０によって進行を遮られ、第２整流板５０の左右の間隙から吸気される。その結果、前面板１２の内壁面と、開口２０ｂにおける流速が最も速い領域からの気流との摩擦が起こらないので、当該摩擦に起因する風切り音の発生を防ぐ。また開口２０ｂからの気流は、第２整流板５０に沿って第２整流板５０の左右の間隙方向に進行方向を変えられるが、第２整流板５０は上述のような曲線形状を有しているので、気流が第２整流板５０に衝突することによる風切り音の発生を防ぐ。
【００３７】
図４（Ｃ）に示すように、整流部材６０，６１は、第２整流板５０の前記間隙との境界となる両側の縁辺部に取り付けられる。整流部材６０，６１は、図４（Ｃ）に示す平面視において、円柱形状の一部が切り欠かれた形状を有している。整流部材６０，６１を設けることにより、気流が第２整流板５０の両側の縁辺部に直接当たる場合に比べて、気流の流れが滑らかになり、風切り音の発生を防ぐ。
【００３８】
図４（Ｅ）および図６に示すように、第１整流板３０、第２整流板５０、整流部材６０，６１、および支持板４０を組み立てた状態では、第１整流板３０と支持板４０とはほぼ平行となっている。また、第２整流板５０は第１整流板３０と支持板４０に対してほぼ垂直になっている。第１整流板３０、第２整流板５０、整流部材６０，６１、および支持板４０は、組み立てた状態では一体として取り扱うことが可能である。したがって、バスレフポート２０を前面板１２の内面壁に取り付けた後、図７に示すように、バスレフポート２０の開口２０ｂ側に第１整流板３０等を取り付け可能になっている。なお、本実施形態においては、図１（Ｂ）に示すように、バスレフポート２０は、バスレフポート２０の上面板２０ｃがエンクロージャー１０の背面板１３と対向するように前面板１２の内面壁に取り付けられる。
【００３９】
図８は、開口２０ａから吸気された気流がバスレフポート２０の中空部を通り、開口２０ｂから排気される場合の気流の動きを説明する図である。図９は、開口２０ｂから吸気された気流がバスレフポート２０の中空部を通り、開口２０ａから排気される場合の気流の動きを説明する図である。
図８に示すように、開口２０ａから中空部に取り込まれた空気は、空気整流部１０１、主管部１００、および空気整流部１０２を通って開口２０ｂから排気される時、開口２０ｂに向かって徐々に間隔が広がる一対の側面板２０ｅ，２０ｆの内壁面方向に拡散される。中心軸Ａ１に垂直な方向における中空部の断面積は、主管部１００から、開口２０ｂに向かって徐々に大きくなる。その結果、一対の側面板２０ｅ，２０ｆの内壁面方向に拡散される気流の流速は、開口２０ｂに向かって徐々に低下する。また、拡散される気流の流速は、第１整流板３０と接触することにより、さらに低下する。そして、拡散される気流は、中心軸Ａ１方向から見て第２整流板５０の両側に形成される間隙から排気される。前記拡散によって、開口２０ｂから排気される空気の圧力が減少すると共に、気流の流速が低下し、気流と第１整流板３０との接触によりさらに気流の流速が低下するので、第２整流板５０の両側に形成される間隙における乱流が殆ど発生しない。したがって、乱流の発生に基づく風切り音の発生を抑えることができる。また、整流部材６０，６１は円柱形状を有しているので、気流と衝突する角部が存在しない。したがって、気流が角部に衝突する際に発生する風切り音の発生を抑えることができる。
【００４０】
また、開口２０ａから中空部に取り込まれた気流のうち、中心軸Ａ１に沿って空気整流部１０１、主管部１００、および空気整流部１０２の中空部の中央部分を通って開口２０ｂから排気される空気は、その流速が低下しない。しかし、前記中空部の中央部分を通って開口２０ｂから排気される気流は、気流の流速に応じた形状の第１整流板３０と接触することによってその流速は低下し、さらに、第２整流板５０によって進行が遮られる。その結果、前記中空部の中央部分を通って開口２０ｂから排気される気流と、前面板１２の内壁面との摩擦が起こらないので、当該摩擦に起因した風切り音の発生を防ぐことができる。しかも、第２整流板５０は円弧形状または指数関数値に準じた曲線形状を有しているので、気流と第２整流板５０との衝突による風切り音の発生を抑えることができる。
【００４１】
図９に示すように、中心軸Ａ１方向から見て第２整流板５０の両側に形成される間隙から取り込まれた気流は、第１整流板３０と接触することにより流速が低下するため、風切り音の発生を防ぐことができる。また、整流部材６０，６１は円柱形状を有しているので、気流と衝突する角部が存在しない。したがって、気流が角部に衝突する際に発生する風切り音の発生を抑えることができる。そして、開口２０ｂから中空部に取り込まれ、空気整流部１０２、主管部１００、および空気整流部１０１を通って開口２０ａから排気される。この時、気流は、開口２０ａに向かって徐々に間隔が広がる一対の側面板２０ｅ，２０ｆの内壁面方向に拡散される。中心軸Ａ１に垂直な方向における中空部の断面積は、主管部１００から、開口２０ａに向かって徐々に大きくなる。その結果、一対の側面板２０ｅ，２０ｆの内壁面方向に拡散される気流の流速は、開口２０ａに向かって徐々に低下する。前記拡散によって、開口２０ａから排気される空気の圧力が減少すると共に、気流の流速が低下し、開口２０ａの端部における乱流が殆ど発生しない。したがって、乱流の発生に基づく風切り音の発生を抑えることができる。
【００４２】
また、第２整流板５０によって、中心軸Ａ１に沿った中央部分からの吸気が抑えられるので、最も流速が速くなる中心軸Ａ１に沿った中央部分に取り込まれる気流と、前面板１２の内壁面との摩擦が起こらないので、風切り音の発生を防ぐことができる。
【００４３】
図１０（Ａ）および図１０（Ｂ）は本実施形態のスピーカーシステム１における気流の方向と流速を説明するための図であり、図１１（Ａ）、図１１（Ｂ）は比較例のスピーカーシステム１における気流の方向と流速を説明するための図である。
本実施形態においては、図１０（Ａ）および図１０（Ｂ）に示すように、第１整流板３０および第２整流板５０と空気との摩擦により気流の流速が抑えられる。図１０（Ａ）および図１０（Ｂ）において、矢印は気流の方向と、気流の流速を示している。また、第２整流板５０により、エンクロージャー１０内の気流は、第２整流板５０とスピーカーユニットＳＰとの間の領域の外側に整流される。その結果、流速の増加に基づく気流の乱れを低減し、気流の乱れによる異音の発生を抑えることができる。また、内壁面との摩擦による風切り音とを低減することができる。さらに、整流部材６０，６１により気流の乱れを低減することができるので、気流の乱れによる異音の発生を抑えることができる。
【００４４】
一方、図１１（Ａ）および図１１（Ｂ）に示す比較例では、第１整流板３０、第２整流板５０、および整流部材６０，６１が設けられていない。この場合には、図１１（Ａ）に示すように、エンクロージャー１０の前面板１２の内壁面に沿った気流のうち、バスレフポート２０の中心軸Ａ１に沿った中央部の気流の流速が速くなる。図１１（Ａ）および図１１（Ｂ）において、矢印は、気流の方向と気流の流速を示している。その結果、図１１（Ｂ）に示すように、前面板１２の内壁面と空気との摩擦により気流が乱れ、風切り音が発生してしまう。
【００４５】
以上のように、本実施形態によれば、第１整流板３０、第２整流板５０、および整流部材６０，６１を設けたので、中心軸に垂直な方向の断面の面積が中央部から開口に向けて徐々に大きくなる形状のバスレフポートにおいて発生していた雑音を抑制できる。また、第１整流板３０、第２整流板５０、および整流部材６０，６１は構造が簡単であり、このような簡単な構造により、前記バスレフポートにおいて発生していた雑音を抑制できる。さらに、本実施形態によれば、前記バスレフポートの開口の近傍に、エンクロージャー１０の内壁面やグリル等の障害物が存在しても、これらと空気との衝突を抑えることができるので、衝突に起因する雑音の発生を抑えることができる。したがって、前記バスレフポートの近傍に、エンクロージャー１０を構成する他の要素を配置することができる。これにより、エンクロージャー１０の形状を小型化することができる。この結果、低雑音で低音増強された小型のスピーカーシステムを簡素な構成で実現することができる。
【００４６】
＜第２実施形態＞
次に、本発明の第２実施形態について図１２を参照しつつ説明する。図１２（Ａ）は本実施形態のスピーカーシステム１の平面図である。図１２（Ｂ）は本実施形態のスピーカーシステム１の側面図である。
第１実施形態においては、バスレフポート２０、第１整流板３０、第２整流板５０、および整流部材６０，６１を、前面板１２の内壁面に設けた。しかし、本実施形態では、図１２（Ａ）および図１２（Ｂ）に示すように、バスレフポート２０、第１整流板３０、第２整流板５０、および整流部材６０，６１を、前面板１２の外壁面に設ける。
【００４７】
本実施形態においても、第１整流板３０、第２整流板５０、および整流部材６０，６１により、中心軸に垂直な方向の断面の面積が中央部から開口に向けて徐々に大きくなる形状のバスレフポートにおいて発生していた雑音を抑制できる。また、第１整流板３０、第２整流板５０、および整流部材６０，６１は構造が簡単であり、このような簡単な構造により、前記バスレフポートにおいて発生していた雑音を抑制できる。したがって、低雑音で低音増強された小型のスピーカーシステムを簡素な構成で実現することができる。
【００４８】
さらに、本実施形態によれば、気流が排気され、あるいは気流が取り入れられる第２整流板５０の両側の間隙の周囲に、エンクロージャー１０の側面板が存在しないので、空気と側面板との摩擦あるいは衝突による風切り音についても発生を抑えることができる。したがって、第１実施形態よりも低雑音で低音増強された小型のスピーカーシステムを簡素な構成で実現することができる。
【００４９】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００５０】
（変形例１）
上述した実施形態では、バスレフポート２０と、第１整流板３０等とを別体としたが、図１３に示すように、バスレフポート２０の上面板２０ｃと、第１整流板３０とを一体に成型してもよい。図１３は、本変形例における第１整流板３０が一体に成型されたバスレフポート２０の上面板２０ｃを示す平面図である。さらに、これらと第２整流板５０および整流部材６０，６１とを一体に成型してもよい。第１整流板３０と第２整流板５０および整流部材６０，６１とを一体に成型する場合には、上述した実施形態で説明した支持板４０を省略することができる。
【００５１】
（変形例２）
上述した実施形態では、バスレフポート２０の中空部における中心軸Ａ１に垂直な方向の断面の形状を矩形としたが、本発明はこのような態様に限定される訳ではなく、多角形状にしたり、円形、楕円、あるいは長円形状にしてもよい。この際、多角形状では、各角部を面取りした形状にするとより効果的である。
【００５２】
（変形例３）
上述した実施形態では、バスレフポート用開口部１７を、前面板１２の底面板１５付近に形成したが、本発明はこのような態様に限定される訳ではない。例えば、バスレフポート用開口部１７を、スピーカーユニットＳＰ付近に形成してもよい。この場合には、第１整流板３０、第２整流板５０、および整流部材６０，６１を底面板１５付近に設ければよい。
【００５３】
（変形例４）
上記実施形態では、第２整流板５０の縁辺部に整流部材６０、６１を付けたが、本発明はこのような態様に限定される訳ではない。整流部材６０、６１を付ける代わりに、第２整流板５０の縁辺部が角のない丸みをおびた形状であってもよい。この場合も気流の流れが滑らかになり、風切り音の発生を防ぐことが可能となる。
【符号の説明】
【００５４】
１…スピーカーシステム、１０…位相反転型エンクロージャー、１２…前面板、１３…背面板、１４…天面板、１５…底面板、１６Ａ，１６Ｂ…側面板、１７…バスレフポート用開口部、１８…接続用空間部、２０…バスレフポート、２０ａ，２０ｂ…開口、２０ｃ…上面板、２０ｄ…下面板、２０ｅ，２０ｆ…側面板、３０…第１整流板、３０ａ…一辺、３０ｂ…他辺、４０…支持板、５０…第２整流板、６０，６１…整流部材、１００…主管部、１０１，１０２…空気整流部、Ａ１…中心軸、ＳＰ…スピーカーユニット。
【図１】
2018037841.tif 000003
【図２】
2018037841.tif 000004
【図３】
2018037841.tif 000005
【図４】
2018037841.tif 000006
【図５】
2018037841.tif 000007
【図６】
2018037841.tif 000008
【図７】
2018037841.tif 000009
【図８】
2018037841.tif 000010
【図９】
2018037841.tif 000011
【図１０】
2018037841.tif 000012
【図１１】
2018037841.tif 000013
【図１２】
2018037841.tif 000014
【図１３】
2018037841.tif 000015